(57)【要約】【課題】フロントパネルを筐体に容易に装着できるビルトインコンロを提供する。【解決手段】筐体２の前側筒状部２７の前側を覆うように、フロントパネル５０が装着される。フロントパネル５０の上面部５２の後端部には、固定片５２３が設けられる。固定片５２３は、上側筒状部２６の前壁部２６２に設けられた被固定片に固定される。前側筒状部２７に装着される前のフロントパネル５０の上面部５２は、後ろ側になるにつれて水平方向に対して上方に傾斜している。故にフロントパネル５０の後端側の間口を広げることができるので、フロントパネル５０の前側筒状部２７への装着性を向上できる。また、上面部５２の傾斜を強くしてフロントパネル５０側の間口を広げたとしても、上面部５２を下側に押さえ付けて弾性変位させた状態で、固定片５２３を被固定片に固定できるので、より容易にフロントパネル５０を装着できる。【選択図】図１１
2018044708.tif 000002
【特許請求の範囲】
【請求項１】
キッチンのキャビネットに設けられた開口に上方から落とし込まれて設置されるビルトインコンロにおいて、
前方及び上方が開放された筐体本体と、前記筐体本体の上部において上方に突出する筒状に設けられ、外方に張り出した鍔部を前記開口の周縁上面に係止させることで、前記キャビネットに支持される上側筒状部と、前記筐体本体の前部に設けられ、前方に突出する略四角筒状に形成された前側筒状部とを備えた筐体と、
前記前側筒状部を外側から覆うようにして、前記筐体の前部に装着されるフロントパネルと
を備え、
前記フロントパネルは、
前記前側筒状部の前側を覆う前面部と、
前記前面部の上端から後方に延び、前記前側筒状部の上側を覆う上面部と、
前記前面部の下端から後方に延び、前記前側筒状部の下側を覆う下面部と、
前記前面部の左右両端から夫々後方に延び、前記前側筒状部の左右両側を覆う左面部及び右面部と
を備え、
前記上面部は、弾性変位可能であって、後端部に前記上側筒状部の前側部分を構成する前壁部に設けられた被固定部に固定する為の固定部を備え、
前記フロントパネルが前記前側筒状部に装着される前においては、後ろ側になるにつれて水平方向に対して上方に傾斜するように形成され、
前記フロントパネルが前記前側筒状部に装着された状態においては、下方に押されて弾性変位した状態で、前記前側筒状部の上側を覆うと共に、前記固定部が前記被固定部に固定されていること
を特徴とするビルトインコンロ。
【請求項２】
前記被固定部は、前記前壁部の下端部よりも所定の高さ位置に設けられていることを特徴とする請求項１に記載のビルトインコンロ。
【請求項３】
前記左面部及び前記右面部には、後方に延びる差し込み片が設けられ、
前記筐体の左右の外側面部には、前後方向に貫通し、前記差し込み片が前方から後方に向かって差し込まれる孔部が設けられていること
を特徴とする請求項１又は２に記載のビルトインコンロ。
【請求項４】
前記差し込み片は、下辺が後方に向かうにつれて斜め上方に傾斜し、略三角形状に形成され、
前記下辺は、前記孔部の内周部のうち下縁部に当接していること
を特徴とする請求項３に記載のビルトインコンロ。
【発明の詳細な説明】
【技術分野】
【０００１】
本発明は、ビルトインコンロに関する。
【背景技術】
【０００２】
従来、キッチンのキャビネット上面に設けられた開口に上方から落とし込まれて設置されるビルトインコンロが知られている（例えば、特許文献１参照）。ビルトインコンロは、グリル庫等の各種構成部品が収納される筐体を備える。筐体は、筐体本体部を備える。筐体本体部は、前面と上面が開口する略直方体状に形成され、右板部、左板部、底板部、背板部を備える。右板部及び左板部は、前端部の上側を除く下側部分が前方に突出して形成されている。筐体本体部の上部には、上方に突出する略四角筒状の上側筒状部が設けられている。右板部及び左板部の前方に突出する夫々の部分の上端部の間には、左右方向に長い上面壁が架設されている。上面壁は、上側筒状部の前側に位置する前壁部の下端と同じ高さ位置に固定されている。筐体本体部の前面には、底板部の前部と、右板部及び左板部の夫々の突出部と、上面壁とによって略四角筒状の前側筒状部が形成されている。前側筒状部には、フロントパネルが装着される。
【０００３】
フロントパネルは、前面部、上面部、下面部、右面部、左面部を備える。前面部の略中央部には開口部が設けられ、その開口部の内側には、グリル庫のグリル開口を開閉するグリル扉が引き出し可能に配置される。開口部の左右には、バーナを点火、消火する為の点火ボタン、バーナの火力を調節する火力調節レバーを挿通させる為のレバー用開口部等が夫々設けられている。また、上面部の後端部には、筐体本体部の前壁部とネジ止め固定される為の固定片が複数設けられている。
【０００４】
このようなフロントパネルは、前面部が前側となるように保持され、前方から前側筒状部に向けて押し込まれる。このとき、下面部が底板部の前部の下側に、右面部及び左面部が右板部及び左板部の前部の外側に、上面部が上面壁の上側に重なるように配置され、上面部の後端部に設けられた複数の固定片を、上側筒状部の前壁部にネジ止めすることによって、前側筒状部を覆うように固定される。
【先行技術文献】
【特許文献】
【０００５】
【特許文献１】特開２０１６−４１９９２号公報
【発明の概要】
【発明が解決しようとする課題】
【０００６】
しかしながら、上記タイプのビルトインコンロでは、フロントパネルの後方に突出する４つの面（上面部、下面部、右面部、左面部）の夫々を、前側筒状部の各面に対して外側から重ね合わせる必要があるので、フロントパネルの前側筒状部への取り付けが面倒で、作業効率が悪いという問題点があった。
【０００７】
本発明の目的は、フロントパネルを筐体に容易に装着できるビルトインコンロを提供することである。
【課題を解決するための手段】
【０００８】
請求項１に係る発明のビルトインコンロは、キッチンのキャビネットに設けられた開口に上方から落とし込まれて設置されるビルトインコンロにおいて、前方及び上方が開放された筐体本体と、前記筐体本体の上部において上方に突出する筒状に設けられ、外方に張り出した鍔部を前記開口の周縁上面に係止させることで、前記キャビネットに支持される上側筒状部と、前記筐体本体の前部に設けられ、前方に突出する略四角筒状に形成された前側筒状部とを備えた筐体と、前記前側筒状部を外側から覆うようにして、前記筐体の前部に装着されるフロントパネルとを備え、前記フロントパネルは、前記前側筒状部の前側を覆う前面部と、前記前面部の上端から後方に延び、前記前側筒状部の上側を覆う上面部と、前記前面部の下端から後方に延び、前記前側筒状部の下側を覆う下面部と、前記前面部の左右両端から夫々後方に延び、前記前側筒状部の左右両側を覆う左面部及び右面部とを備え、前記上面部は、弾性変位可能であって、後端部に前記上側筒状部の前側部分を構成する前壁部に設けられた被固定部に固定する為の固定部を備え、前記フロントパネルが前記前側筒状部に装着される前においては、後ろ側になるにつれて水平方向に対して上方に傾斜するように形成され、前記フロントパネルが前記前側筒状部に装着された状態においては、下方に押されて弾性変位した状態で、前記前側筒状部の上側を覆うと共に、前記固定部が前記被固定部に固定されていることを特徴とする。
【０００９】
請求項２に係る発明のビルトインコンロは、請求項１に記載の構成に加え、前記被固定部は、前記前壁部の下端部よりも所定の高さ位置に設けられていることを特徴とする。
【００１０】
請求項３に係る発明のビルトインコンロは、請求項１又は２に記載の構成に加え、前記左面部及び前記右面部には、後方に延びる差し込み片が設けられ、前記筐体の左右の外側面部には、前後方向に貫通し、前記差し込み片が前方から後方に向かって差し込まれる孔部が設けられていることを特徴とする。
【００１１】
請求項４に係る発明のビルトインコンロは、請求項３に記載の構成に加え、前記差し込み片は、下辺が後方に向かうにつれて斜め上方に傾斜し、略三角形状に形成され、前記下辺は、前記孔部の内周部のうち下縁部に当接していることを特徴とする。
【発明の効果】
【００１２】
請求項１に係る発明のビルトインコンロによれば、フロントパネルが前側筒状部に装着される前において、フロントパネルの上面部は後ろ側になるにつれて水平方向に対して上方に傾斜しており、前側筒状部との間に隙間を有しつつ筐体に装着されるようになっている。これにより、フロントパネルの後端側の間口を広げることができるので、フロントパネルの装着性を高めることができる。また、上面部の傾斜を強くしてフロントパネル側の間口を広げたとしても、上面部を下側に押さえ付けて弾性変位させた状態で、固定部を被固定部に固定できるので、より容易にフロントパネルを装着できる。
【００１３】
請求項２に係る発明のビルトインコンロでは、請求項１に記載の効果に加え、被固定部は、前壁部の下端部よりも所定の高さ位置に設けられているので、前側筒状部と上面部との間にクリアランスを形成した状態で、上面部の固定部を被固定部に固定できる。これにより、フロントパネルの上面部において前側筒状部からの熱を伝わり難くすることができる。
【００１４】
請求項３に係る発明のビルトインコンロでは、請求項１又は２に記載の効果に加え、フロントパネルの上面部の下側にクリアランスが形成されるが、フロントパネルの上側から力が加わると、フロントパネルが下側に位置ズレを起こすことが懸念されるが、筐体の左右の外側面部に設けられた孔部に差し込み片を差し込む構成を有するので、フロントパネルの左右の両側部を筐体に支持させることができる。これにより、フロントパネルの下側への位置ズレが生じるのを防止できる。
【００１５】
請求項４に係る発明のビルトインコンロでは、請求項３に記載の効果に加え、フロントパネルを前側筒状部に装着する際、差し込み片の先端部を孔部に差し込み、差し込み片の下辺を、孔部の内周部のうち下縁部に摺動させることで、フロントパネル全体が上方に移動し、最終的に、フロントパネルの筐体に対する上下方向の位置決めを容易にできる。
【００１６】
なお、本発明は、請求項１〜４に記載された発明特定事項の一部を任意に組み合わせてもよい。
【図面の簡単な説明】
【００１７】
【図１】コンロ１の斜視図である。
【図２】コンロ１の正面図である。
【図３】コンロ１の斜視図（天板とグリル扉を省略）である。
【図４】コンロ１の斜視図（フロントパネルとグリル扉を省略）である。
【図５】コンロ１の左側面図である（フロントパネルとグリル扉を省略）である。
【図６】図４中Ｗ３領域内の部分拡大図である。
【図７】図４中Ｗ４領域内の部分拡大図である。
【図８】フロントパネル５０の右斜め前方から見た斜視図である。
【図９】フロントパネル５０に左斜め後方から見た斜視図である。
【図１０】点火ボタンユニット７０Ｂが取り付けられたフロントパネル５０の左側面図である。
【図１１】フロントパネル５０を、筐体２の前側筒状部２７に取り付ける工程の説明図である。
【図１２】フロントパネル５０を、筐体２の前側筒状部２７に取り付ける工程の説明図である。
【図１３】フロントパネル５０を、筐体２の前側筒状部２７に取り付ける工程の説明図である。
【図１４】フロントパネル５０を、筐体２の前側筒状部２７に取り付ける工程の説明図である。
【図１５】図３中Ｗ１領域内の部分拡大図である。
【図１６】図３中Ｗ２領域内の部分拡大図である。
【発明を実施するための形態】
【００１８】
以下、本発明の実施形態を説明する。以下に記載されている装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１９】
図１〜図５を参照し、コンロ１の外観構造を説明する。コンロ１は、図示しないキッチンのキャビネット上面に設けられた開口に上方から落とし込まれて設置されるビルトインタイプのコンロである。コンロ１は、筐体２を備える。筐体２は、上面が開口する略直方体状に形成され（図３，図４参照）、その開口する上部には、ホーロー素材の天板３がネジ止め固定されている。天板３の上面右手前にはバーナ開口３４、左手前にはバーナ開口３５、それらに挟まれる中央の奥側にはバーナ開口３６が設けられている。バーナ開口３４にはコンロバーナ５、バーナ開口３５にはコンロバーナ６、バーナ開口３６にはコンロバーナ７が、筐体２側から天板３上に突出させる形態で夫々配置されている。天板３の上面後端側には、排気口３７が設けられている。排気口３７は、複数のスリットで形成され、筐体２内に設置されたグリル庫３０（図３参照）の後部から上方に延びるグリル排気口３１の直上に配置されている。
【００２０】
図１，図２に示すように、筐体２の前面には、金属製のフロントパネル５０がネジ止め固定されている。フロントパネル５０の略中央には、グリル用の略矩形状の開口部５７が設けられている。開口部５７の後ろ側には、グリル庫３０のグリル開口３２（図３参照）が配置されている。開口部５７には、グリル扉１０が前後方向に引き出し可能に設けられている。グリル扉１０の前面部には、前方に突出する取手１０１が設けられている。取手１０１を手前側に引き出すことで、開口部５７が開放され、グリル扉１０の背面下部に連結された受皿と焼網（図示略）を、グリル庫３０内から同時に取り出すことができる。
【００２１】
図１〜図３に示すように、フロントパネル５０において、開口部５７の右隣には、略矩形状の開口部５８が設けられ、その開口部５８の内側に、点火ボタンユニット７０Ａが設けられている。点火ボタンユニット７０Ａの前面右上側には、点火ボタン１１が設けられ、前面左上側には、点火ボタン１２が設けられている。点火ボタン１１を押し込むと、右側のコンロバーナ５が点火され、再度押し込むと消火される。点火ボタン１２を押し込むと、グリル庫３０内に設けられたグリルバーナ（図示略）が点火され、再度押し込むと消火される。点火ボタン１１，１２の下側には、操作パネル１６が開閉可能に設けられている。
【００２２】
点火ボタンユニット７０Ａの上方には、レバー用開口部６１が設けられている。レバー用開口部６１の内側から、火力調節レバー４１２，４２２が筐体２側から前方に突出している。火力調節レバー４１２は、点火ボタン１１の上方に位置し、筐体２内に設けられたガス供給装置４１（図４参照）のブラケット（図示略）に軸支されている。ガス供給装置４１は、点火ボタン１１の後方に配置され、ブラケットを中心とする火力調節レバー４１２の左右方向の回動操作により、コンロバーナ５に供給するガス量を調節する。それ故、使用者は、火力調節レバー４１２の回動操作により、コンロバーナ５の火力調節ができる。火力調節レバー４２２は、点火ボタン１２の上方に位置し、筐体２内に設けられたガス供給装置４２（図４参照）のブラケット（図示略）に軸支されている。ガス供給装置４２は、点火ボタン１２の後方に配置され、ブラケットを中心とする火力調節レバー４２２の左右方向の回動操作により、グリルバーナに供給するガス量を調節する。それ故、使用者は、火力調節レバー４２２の回動操作により、グリルバーナの火力調節ができる。
【００２３】
点火ボタン１１の下部と操作パネル１６の上端部の間には、ロック操作部９７が設けられている。ロック操作部９７は、チャイルドロック機能の操作部であって、非ロック位置（点火許容位置）とロック位置の間を左右方向にスライドさせることで、点火ボタン１１，１２の押し込み操作を可能、又は不能にする。
【００２４】
一方、フロントパネル５０において、開口部５７の左隣には、略矩形状の開口部５９が設けられ、その開口部５９の内側に、点火ボタンユニット７０Ｂが設けられている。点火ボタンユニット７０Ｂの前面右側には、点火ボタン１３が設けられ、前面左側には、点火ボタン１４が設けられている。点火ボタン１３を押し込むと、左側のコンロバーナ６が点火され、再度押し込むと消火される。点火ボタン１４を押し込むと、奥側のコンロバーナ７が点火され、再度押し込むと消火される。点火ボタン１３，１４の下側には、電池ボックス１７が開閉可能に設けられている。
【００２５】
点火ボタンユニット７０Ｂの上方には、レバー用開口部６２が設けられている。レバー用開口部６２の内側から、火力調節レバー４３２，４４２が筐体２側から前方に突出している。火力調節レバー４３２は、点火ボタン１３の上方に位置し、筐体２内に設けられたガス供給装置４３（図４参照）のブラケット（図示略）に軸支されている。ガス供給装置４３は、点火ボタン１３の後方に設けられ、ブラケットを中心とする火力調節レバー４３２の左右方向の回動操作により、コンロバーナ７に供給するガス量を調節する。それ故、使用者は、火力調節レバー４３２の回動操作により、コンロバーナ７の火力調節ができる。火力調節レバー４４２は、点火ボタン１４の上方に位置し、筐体２内に設けられたガス供給装置４４（図４参照）のブラケット（図示略）に軸支されている。ガス供給装置４４は、点火ボタン１４の後方に設けられ、ブラケットを中心とする火力調節レバー４４２の左右方向の回動操作により、コンロバーナ６に供給するガス量を調節する。それ故、使用者は、火力調節レバー４４２の回動操作により、コンロバーナ６の火力調節ができる。
【００２６】
点火ボタン１３の下部と電池ボックス１７の上端部の間には、ロック操作部９８が設けられている。ロック操作部９８は、チャイルドロック機能の操作部であって、非ロック位置とロック位置との間を左右方向にスライドさせることにより、点火ボタン１３，１４の押し込み操作を可能、又は不能にする。点火ボタン１４の直上には、円形状の小孔６３が設けられ、その内側には、乾電池の電圧低下を報知する為のＬＥＤ１８が露出して設けられている。
【００２７】
図３〜図５を参照し、筐体２の構造を説明する。筐体２は、筐体本体部２０と上述のフロントパネル５０を備える。筐体本体部２０は、前面と上面が開口する略直方体状に形成され、板金で形成された右板部２１、左板部２２、底板部２３（図４，図５参照）、背板部２４（図４，図５参照）を備える。右板部２１及び左板部２２は、前端部の上側を除く下側部分が前方に突出する側面視略Ｌ字状に形成されている。筐体本体部２０の上部には、上側筒状部２６が設けられている。上側筒状部２６は、上方に突出する略四角筒状に形成されている。上側筒状部２６の上方に突出して開口する開口端には、外方に張り出した鍔部２６１（図３参照）が形成されている。鍔部２６１がキャビネット上面の開口の周縁上面に係止することで、筐体２がキャビネット内に支持される。上側筒状部２６の上部の開口端には、天板３がネジ止め固定される。
【００２８】
図３に示すように、右板部２１及び左板部２２の夫々の前方に突出する部分の上端部の間には、平面視左右方向に長い略矩形状の上面壁２７１が水平に架設されている。上面壁２７１は、上側筒状部２６の前側に設けられた前壁部２６２の下端と同じ高さ位置において水平となるように固定されている。これにより、右板部２１及び左板部２２の間隔を一定に規定すると共に、グリル庫３０のグリル開口３２の上側を覆って熱気が漏出するのを防止するように機能している。
【００２９】
筐体本体部２０の底板部２３の前側部分と、右板部２１及び左板部２２の夫々の前方に突出する部分と、上面壁２７１とで構成された略四角筒状の部分は、前側筒状部２７を構成する。前側筒状部２７は、フロントパネル５０が装着される装着部として機能する。前側筒状部２７は、キャビネット前面に設けられた開口（図示略）にキャビネットの内側から前方に挿入される。前側筒状部２７の内側には、二枚の仕切壁２８，２９（図４参照）が横並びに垂直方向に立設されている。仕切壁２８，２９は、前側筒状部２７の内側において、グリル庫３０が設置される領域と、ガス供給装置４１，４２が配置される右側領域と、ガス供給装置４３，４４が配置される左側領域とを夫々仕切る。そのような前側が開口する前側筒状部２７に対して、フロントパネル５０が前方から覆うようにして取り付けられる（図３参照）。
【００３０】
右板部２１の外面における前端部近傍の下側部分には、差し込み部２１１（図４参照）が設けられている。差し込み部２１１は、前側が開口するポケット状に形成されている。差し込み部２１１の開口は、前方から見て上下方向に長い細孔である。差し込み部２１１には、フロントパネル５０に設けられた後述する右側の差し込み片６７（図８参照）が前方から差し込まれる。左板部２２の外面における前端部近傍の下側部分にも、差し込み部２１１と同様の差し込み部２２１（図４，図５参照）が設けられている。差し込み部２２１には、フロントパネル５０に設けられた後述する左側の差し込み片６８（図９参照）が前方から差し込まれる。
【００３１】
図４に示すように、上側筒状部２６の前側に位置する前壁部２６２は、正面視左右方向に長い略矩形状に形成され、前側筒状部２７の上面壁２７１の後端部において垂直上方に立設されている。前壁部２６２の右端側であって、下端よりも所定の高さ位置には、矩形状の開口部２６４が設けられている。開口部２６４の下端部には、後方に向けて略水平に突出する被固定片２６７（図６参照）が設けられている。被固定片２６７には、上下方向に貫通する固定孔２６７Ａが設けられている。被固定片２６７の上方には、コンロバーナ５の下方に設置される汁受け板８の前端部が配置されている。汁受け板８の固定孔２６７Ａに対応する位置には、切欠き部８Ａが設けられている。切欠き部８Ａは、平面視略逆Ｕ字状に形成され、その周囲の部分は上方にやや隆起する。
【００３２】
一方、図４に示すように、前壁部２６２の左端側であって、開口部２６４と同一の高さ位置には、矩形状の開口部２６５が設けられている。開口部２６５の下端部には、後方に向けて略水平に突出する被固定片２６８（図７参照）が設けられている。被固定片２６８には、上下方向に貫通する固定孔２６８Ａが設けられている。被固定片２６８の上方には、コンロバーナ６の下方に設置される汁受け板９の前端部が配置されている。汁受け板９の固定孔２６８Ａに対応する位置には、切欠き部９Ａが設けられている。切欠き部９Ａは、平面視略逆Ｕ字状に形成され、その周囲の部分は上方にやや隆起する。
【００３３】
図８〜図１０を参照し、フロントパネル５０の構造を説明する。フロントパネル５０は、正面視左右方向に長い略矩形状で、且つ側面視後方に開口側を向けた略Ｕ字状（図１０参照）に形成されている。フロントパネル５０は、板金を折り曲げる等して形成されている。フロントパネル５０は、前面部５１、上面部５２、下面部５３、右面部５４、左面部５５を備える。
【００３４】
図８に示すように、前面部５１は、正面視逆Ｕ字状に形成され、右パネル部５１１、左パネル部５１２、上パネル部５１３を備える。右パネル部５１１は、前面部５１の右側に設けられ、正面視略矩形状に形成されている。左パネル部５１２は、前面部５１の左側に設けられ、正面視略矩形状に形成されている。上パネル部５１３は、右パネル部５１１の左端部の上部と、左パネル部５１２の右端部の上部との間に渡設され、正面視左右方向に長い細長略矩形状に形成されている。右パネル部５１１の左端部と、左パネル部５１２の右端部と、上パネル部５１３の下端部とに囲まれる領域には、上述の開口部５７が形成されている。
【００３５】
右パネル部５１１には、上述の開口部５８が設けられている。右パネル部５１１の背面側であって、開口部５８の周縁部には、後方に突出するリブ５８１（図９参照）が設けられている。それ故、開口部５８の周縁部の剛性が向上する。開口部５８の周縁部のうち上縁部及び下縁部には、後方に突出する左右一対の固定片６５が夫々設けられている。周縁部のうち左右の両縁部には、一つの固定片６５が夫々設けられている。各固定片６５には、固定孔６５Ａが設けられている。これら固定片６５には、点火ボタンユニット７０Ａにおける点火ボタン１１，１２を軸支する枠部（図示略）が固定される。
【００３６】
右パネル部５１１において、開口部５８の上方には、上述のレバー用開口部６１が設けられている。レバー用開口部６１は、左右方向に延びるスリット状に形成されている。右パネル部５１１の背面側であって、レバー用開口部６１の周縁部には、後方に突出するリブ６１１（図９参照）が設けられている。それ故、レバー用開口部６１の周縁部の剛性が向上する。
【００３７】
右パネル部５１１の背面側において、右パネル部５１１の左端部には、後方に突出するリブ５１６が設けられている。リブ５１６は上下方向に延び、その下端部には、後方に突出するパネル側固定部５１７が設けられている。パネル側固定部５１７は、リブ５１６の下端部から後方に延び、且つ先端側が左方に略Ｌ字状に折り曲げられている。パネル側固定部５１７は、グリル庫３０のグリル開口３２（図３参照）の右下角部にネジ止め固定される。
【００３８】
左パネル部５１２には、上述の開口部５９が設けられている。左パネル部５１２の背面側であって、開口部５９の周縁部には、後方に突出するリブ５９１（図９参照）が設けられている。それ故、開口部５９の周縁部の剛性が向上する。開口部５９の周縁部のうち上縁部には、後方に突出する左右一対の固定片６６が設けられている。周縁部のうち左右の両縁部には、一つの固定片６６が夫々設けられている。各固定片６６には、固定孔６６Ａが設けられている。これら固定片６６には、点火ボタンユニット７０Ｂにおける点火ボタン１２，１４を軸支する枠部（図示略）が固定される。
【００３９】
左パネル部５１２において、開口部５９の上方には、上述のレバー用開口部６２が設けられている。レバー用開口部６２は、左右方向に延びるスリット状に形成されている。左パネル部５１２の背面側であって、レバー用開口部６２の周縁部には、後方に突出するリブ６２１（図９参照）が設けられている。それ故、レバー用開口部６２の周縁部の剛性が向上する。開口部５９の左上角部近傍には、上述の小孔６３が設けられている。
【００４０】
左パネル部５１２の背面側において、左パネル部５１２の右端部には、後方に突出するリブ５２６が設けられている。リブ５２６は上下方向に延び、その下端部には、パネル側固定部５２７が設けられている。パネル側固定部５２７は、リブ５２６の下端部から後方に延び、且つ先端側が右方に略Ｌ字状に折り曲げられている。パネル側固定部５２７は、グリル庫３０のグリル開口３２（図３参照）の左下角部にネジ止め固定される。
【００４１】
上面部５２は、前面部５１の上端部から後ろ側になるにつれて水平方向（図１０中二点鎖線Ｈ参照）に対して上方に傾斜するように形成され、平面視左右方向に長い略矩形状に形成されている。図８，図９に示すように、上面部５２の後端部には、上方に突出するリブ５２１が設けられている。リブ５２１の上端部における左右両側には、後方に略水平に突出する左右一対の固定片５２２，５２３が設けられている。固定片５２２，５２３には、上下方向に貫通する固定孔５２２Ａ，５２３Ａが設けられている。上面部５２の右端部には、垂下片５２４が設けられている。垂下片５２４は、上面部５２の右端部から下方に垂下する右側面視前後方向に長い略矩形状に形成されている。上面部５２の左端部には垂下片５２５が設けられている。垂下片５２５は、上面部５２の左端部から下方に垂下する左側面視前後方向に長い略矩形状に形成されている。
【００４２】
下面部５３は、右パネル部５１１の下端部と、左パネル部５１２の下端部とを左右方向に繋ぐように設けられ、平面視左右方向に長い略矩形状に形成されている。下面部５３の上面の左右両端側には、突出片５３１が夫々設けられている。各突出片５３１は、下面部５３の上面から上方に突出し、左右方向に面方向を有する側面視略三角形状に形成されている。
【００４３】
右面部５４は、右パネル部５１１の右端部から後方に延び、側面視上下方向に長い略矩形状に形成されている。右面部５４の後端部における下側位置には、後方に突出する差し込み片６７が設けられている。差し込み片６７は、側面視略三角形状に形成されている。差し込み片６７の下辺６７１は、後方に向かうにつれて斜め上方に傾斜する。
【００４４】
左面部５５は、右面部５４と同様に、左パネル部５１２の左端部から後方に延び、側面視上下方向に長い略矩形状に形成されている。左面部５５の後端部における下側位置には、後方に突出する差し込み片６８が設けられている。差し込み片６８は、差し込み片６７と同形状であって、側面視略三角形状に形成されている。差し込み片６８の下辺６８１は、後方に向かうにつれて斜め上方に傾斜する。
【００４５】
図１１〜図１６を参照し、フロントパネル５０を、筐体２の前側筒状部２７へ取り付ける方法を説明する。先ず、図１１に示すように、作業者は、筐体２の前側筒状部２７の前面に対して、背面側が対向するようにフロントパネル５０を保持する。次いで、図１１，図１２に示すように、フロントパネル５０を、前側筒状部２７に向けて後方に移動させる。上記のように、フロントパネル５０の上面部５２は、後ろ側になるにつれて水平方向に対して上方に傾斜している。それ故、前側筒状部２７への取り付け前において、フロントパネル５０の後端側の間口を広げることができる。これにより、フロントパネル５０の上面部５２と下面部５３の間に、前側筒状部２７を容易に配置できるので、フロントパネル５０の装着性を向上できる。上面部５２と下面部５３の間に、前側筒状部２７を配置した状態で、フロントパネル５０を後方にさらに移動させる。
【００４６】
次いで、図１３に示すように、フロントパネル５０の左右両側に設けられた差し込み片６７，６８の夫々の先端部を、筐体２の右板部２１及び左板部２２に設けられた差し込み部２１１，２２１に差し込む。これにより、フロントパネル５０の前側筒状部２７に対する左右方向の位置決めが自動的になされる。さらに、前側筒状部２７の右側では、差し込み片６７の傾斜する下辺６７１（図８参照）を、差し込み部２１１の内周部のうち下縁部２１５（図４参照）に接触させて後方に摺動させる。前側筒状部２７の左側では、差し込み片６８の傾斜する下辺６８１を、差し込み部２２１の内周部のうち下縁部２２５に接触させて後方に摺動させる。これにより、フロントパネル５０が前側筒状部２７に対して後方に押し込まれるにつれて、フロントパネル５０全体が徐々に上方に移動する。そして、右面部５４及び左面部５５が、前側筒状部２７の右板部２１及び左板部２２の前部の外側に重なるように配置される。そして、上面部５２が前側筒状部２７の上面壁２７１の上側に、下面部５３が底板部２３の前部の下側に重なるように配置される。
【００４７】
次いで、図１４に示すように、フロントパネル５０を後方に移動させつつ、斜めに傾斜する上面部５２を下側に押さえ付けて略水平に弾性変位させる。この状態で、リブ５２１の上端部に設けられた固定片５２２，５２３（図８参照）を、筐体２の上側筒状部２６の前壁部２６２に設けられた開口部２６４，２６５（図４参照）に対して前方から差し込む。そして、差し込み片６７，６８が、差し込み部２１１，２２１の奥側まで差し込まれることにより、最終的に、フロントパネル５０の筐体２に対する上下方向の位置決めが自動的になされる。つまり、差し込み片６７，６８を、差し込み部２１１，２２１に差し込むだけで、フロントパネル５０の筐体２に対する左右方向の位置決めができ、そのまま押し込むだけで、フロントパネル５０の筐体２に対する上下方向の位置決めができる。これにより、フロントパネル５０の筐体２への装着性をさらに向上できる。
【００４８】
さらに、図１５に示すように、開口部２６４に差し込まれた固定片５２２を、汁受け板８の切欠き部８Ａの下側に差し込み、被固定片２６７上に配置する。そして、固定片５２２に設けられた固定孔５２２Ａを介して、被固定片２６７に設けられた固定孔２６７Ａに対して、ネジ９１を締結する。一方、図１６に示すように、開口部２６５に差し込まれた固定片５２３を、汁受け板９の切欠き部９Ａの下側に差し込み、被固定片２６８上に配置する。そして、固定片５２３に設けられた固定孔５２３Ａを介して、被固定片２６８に設けられた固定孔２６８Ａに対して、ネジ９４を締結する。
【００４９】
これにより、図１４に示すように、上面部５２は、略水平で且つ前側筒状部２７の上面壁２７１の上面との間に所定のクリアランスＰを空けた状態で、上側筒状部２６の前壁部２６２に固定される。即ち、被固定片２６７，２６８を、前壁部２６２の下端から所定の高さ位置に設けたことによって、上面部５２の下面と上面壁２７１の上面との間に所定のクリアランスＰを設けることができる。これにより、フロントパネル５０の上面部５２に対して、前側筒状部２７の上面壁２７１からの熱を伝わり難くすることができる。よって、フロントパネル５０の上面部５２が熱くならないので、コンロ１の安全性を向上できる。なお、クリアランスＰの左右両側には、上面部５２の左右両側に設けられた垂下片５２４，５２５が配置される。
【００５０】
一方、フロントパネル５０の下面部５３は、前側筒状部２７の下面側に重ねて配置される。そして、下面部５３に設けられた左右一対の突出片５３１は、前側筒状部２７における底板部２３の左右両側に設けられた一対の開口２３１（図４参照：左側の開口２３１のみ図示）に対して、下方から上方に挿入される。このとき、突出片５３１の前端部と後端部は、開口２３１の前縁部と後縁部に夫々当接する。これにより、フロントパネル５０の前側筒状部２７に対する前後方向の位置決めがなされる。このようにして、筐体２の前側筒状部２７の周囲を覆うように、フロントパネル５０が取り付けられる。
【００５１】
そして、フロントパネル５０が前側筒状部２７に取り付けられた状態において、フロントパネル５０の上面部５２の下側には、クリアランスＰが形成されている。仮にフロントパネル５０に対して上側から力が加わった場合、フロントパネル５０の位置が前側筒状部２７に対して下側にずれることが懸念される。しかしながら、本実施形態は、フロントパネル５０の左右両側に設けられた差し込み片６７，６８を、筐体２の右板部２１及び左板部２２に設けられた差し込み部２１１，２２１に差し込む構成を有するので、フロントパネル５０の右面部５４と左面部５５を筐体２に支持させることができる。これにより、フロントパネル５０に対して上側から力が加わった場合でも、フロントパネル５０の位置が前側筒状部２７に対して下側にずれるのを防止できる。
【００５２】
また、フロントパネル５０の上面部５２は、下側に押さえ付けて略水平に弾性変位させた状態で、前壁部２６２に固定されているので、上面部５２には元の形状に戻ろうとする弾性復帰力が生じる。上面部５２の位置は固定されているので、上面部５２の弾性復帰力は、前面部５１を下方に付勢するように作用する。これにより、前面部５１に接続する右面部５４及び左面部５５が下方に付勢されるので、差し込み片６７，６８は、前側筒状部２７の右板部２１及び左板部２２に設けられた差し込み部２１１，２２１の下縁部２１５，２２５に押し付けられる。これにより、フロントパネル５０を前側筒状部２７に対して強固に取り付けることができる。
【００５３】
以上説明において、筐体本体部２０が本発明の「筐体本体」の一例である。上側筒状部２６の前壁部２６２が本発明の「前壁部」の一例である。被固定片２６７，２６８が本発明の「被固定部」の一例である。固定片５２２，５２３が本発明の「固定部」の一例である。差し込み部２１１，２２１の夫々の開口が本発明の「孔部」の一例である。
【００５４】
以上説明したように、本実施形態のコンロ１は、キッチンのキャビネットに設けられた開口に上方から落とし込まれて設置されるビルトインコンロである。コンロ１は、筐体２とフロントパネル５０を備える。筐体２は、筐体本体部２０、上側筒状部２６、及び前側筒状部２７を備える。筐体本体部２０は、前方及び上方が開放されている。上側筒状部２６は、筐体本体部２０の上部において上方に突出する筒状に設けられ、外方に張り出した鍔部２６１を、キャビネット上面の開口の周縁上面に係止させることで、キャビネットに支持される。前側筒状部２７は、筐体本体部２０の前部に設けられ、前方に突出する略四角筒状に形成されている。フロントパネル５０は、前側筒状部２７を外側から覆うようにして、筐体２の前部に装着される。
【００５５】
フロントパネル５０は、前面部５１、上面部５２、下面部５３、右面部５４、及び左面部５５を備える。前面部５１は、前側筒状部２７の前側を覆う。上面部５２は、前面部５１の上端から後方に延び、前側筒状部２７の上側を覆う。下面部５３は、前面部５１の下端から後方に延び、前側筒状部２７の下側を覆う。右面部５４は、前側筒状部２７の右側を覆う。左面部５５は、前側筒状部２７の左側を覆う。上面部５２は、弾性変位可能である。上面部５２の後端部には、左右一対の固定片５２２，５２３が設けられている。固定片５２２，５２３は、上側筒状部２６の前壁部２６２に設けられた被固定片２６７，２６８にネジ止め固定される。フロントパネル５０は、前側筒状部２７に装着される前においては、後ろ側になるにつれて水平方向に対して上方に傾斜するように形成されている。前側筒状部２７に装着された状態においては、下方に押されて弾性変位した状態で、前側筒状部２７の上側を覆うと共に、固定片５２２，５２３が被固定片２６７，２６８にネジ止め固定される。
【００５６】
このように、フロントパネル５０が前側筒状部２７に装着される前において、フロントパネル５０の上面部５２は後ろ側になるにつれて水平方向に対して上方に傾斜している。これにより、フロントパネル５０の後端側の間口を広げることができるので、フロントパネル５０の装着性を高めることができる。また、上面部５２の傾斜を強くしてフロントパネル５０側の間口を広げたとしても、上面部５２を下側に押さえ付けて弾性変位させた状態で、固定片５２２，５２３を被固定片２６７，２６８に固定できるので、より容易にフロントパネル５０を装着できる。
【００５７】
なお、本発明は上記実施形態に限定されるものではなく、種々の変更が可能である。コンロ１は、グリル庫３０を筐体２内に備えているが、グリル無しのコンロでもよい。さらに、天板３上に設けられるコンロバーナの数は３個に限らず、自由に変更可能である。
【００５８】
また、上記実施形態では、フロントパネル５０の上面部５２の後端部のリブ５２１には、左右一対の固定片５２２，５２３が設けられるが、固定片の数は一個、又は三個以上でもよく、個数は自由に変更可能である。但し、上面部５２をバランス良く固定するには、少なくとも左右一対設けるのが好ましい。筐体２側の前壁部２６２に設けられる被固定片２６７，２６８においても同様である。
【００５９】
１    コンロ
２    筐体
２０    筐体本体部
２６    上側筒状部
２７    前側筒状部
５０    フロントパネル
５１    前面部
５２    上面部
５３    下面部
５４    右面部
５５    左面部
６７，６８    差し込み片
２１１，２２１    差し込み部
２１５，２２５    下縁部
２６１    鍔部
２６２    前壁部
２６４，２６５    開口部
２６７，２６８    被固定片
２７１    上面壁
５２２，５２３    固定片
６７１，６８１    下辺
Ｐ    クリアランス
【図１】
2018044708.tif 000003
【図２】
2018044708.tif 000004
【図３】
2018044708.tif 000005
【図４】
2018044708.tif 000006
【図５】
2018044708.tif 000007
【図６】
2018044708.tif 000008
【図７】
2018044708.tif 000009
【図８】
2018044708.tif 000010
【図９】
2018044708.tif 000011
【図１０】
2018044708.tif 000012
【図１１】
2018044708.tif 000013
【図１２】
2018044708.tif 000014
【図１３】
2018044708.tif 000015
【図１４】
2018044708.tif 000016
【図１５】
2018044708.tif 000017
【図１６】
2018044708.tif 000018